(57)【要約】【課題】集合住宅の大規模修繕工事等にあたり、枠組み足場等の仮設足場をコンクリート手摺に繋いだ際、コンクリート手摺から内側への突出物を最小限にして、安全に工事が行え、しかも、仮設足場とコンクリート手摺との間に広い隙間を確保できて、コンクリート手摺用壁繋ぎ取付け金具が外装タイルの浮き・剥離調査、タイル洗浄作業等の作業の障害にならないようにしたコンクリート手摺用壁繋ぎ取付け金具を提供する。【解決手段】横部材２とその両端から垂下した第１垂直部材３および第２垂直部材４とにより略コの字形に形成して、コンクリート手摺Ｂに跨らせることができるようにし、第１垂直部材３に、コンクリート手摺の外側面を押圧する締付け具５と壁繋ぎ取付け部１とを併設し，コンクリート手摺の外側から締付け操作することにより、コンクリート手摺を挟持した状態に固定すべく構成する。【選択図】　　　　図１
2004092056.tif 000002
【特許請求の範囲】
【請求項１】
壁繋ぎ取付け部を備え、コンクリート手摺に跨らせた状態で、コンクリート手摺の外側から締付け操作することにより、コンクリート手摺を挟持した状態に固定するように構成したことを特徴とするコンクリート手摺用壁繋ぎ取付け金具。
【請求項２】
横部材とその両端から垂下した第１垂直部材および第２垂直部材とによりコンクリート手摺に跨らせることが可能に構成され、第１垂直部材に、コンクリート手摺の外側面を押圧する締付け具と壁繋ぎ取付け部とを併設したことを特徴とするコンクリート手摺用壁繋ぎ取付け金具。
【請求項３】
壁繋ぎ取付け部がネジ孔付き部材によって構成されている請求項２に記載のコンクリート手摺用壁繋ぎ取付け金具。
【請求項４】
壁繋ぎ取付け部が単管用クランプによって構成されている請求項２に記載のコンクリート手摺用壁繋ぎ取付け金具。
【請求項５】
締付け具が第１垂直部材を水平方向に貫通するネジ軸とその先端に付設された押圧部材とから構成され、押圧部材の先端とそれに対向する第２垂直部材の側面と横部材の下面に、夫々、養生用弾性体が付設されている請求項２〜４の何れかに記載のコンクリート手摺用壁繋ぎ取付け金具。
【請求項６】
ネジ軸が第１垂直部材に設けられたネジ孔に螺合されている請求項５に記載のコンクリート手摺用壁繋ぎ取付け金具。
【請求項７】
ネジ軸が当該ネジ軸に螺合するナットにより第１垂直部材に締付け固定されるように構成されている請求項５に記載のコンクリート手摺用壁繋ぎ取付け金具。
【発明の詳細な説明】
【０００１】
【発明の属する技術分野】
本発明は、集合住宅及びその他のコンクリート手摺形状を有する建築物等の廊下、バルコニー等のコンクリート手摺及びその他同形状の立上り部分等に枠組み足場等の仮設足場を繋いで、足場の倒壊や変形を防止すべく使用されるコンクリート手摺用壁繋ぎ取付け金具に関するものである。
【０００２】
【従来の技術】
例えば、集合住宅の大規模修繕工事の際、廊下、バルコニー等のコンクリート手摺に枠組み足場の繋ぎをとる方法としては、コンクリート手摺にホールインアンカーを打ち、壁繋ぎにより連結するのが、現在では、最も一般的である。しかしながら、この方法では、次の問題点が指摘されている。
▲１▼ホールインアンカーを打設するためのハンマードリルやその電源が必要である上、電源コードの付いたハンマードリルを持って足場上を移動するという危険作業を伴う。
▲２▼タイル張り使用の外壁である場合、ホールインアンカーによって一部のタイルが傷付けられるので、足場解体時に、そのタイルの張替え作業を行いながら解体作業をすることになり、施工効率が悪い。
▲３▼タイルを張り替えた場合、タイル張り直後に目地詰めすると、張付けモルタル材が十分乾燥しておらず、材からの水分の影響で目地が白色、黄色等に変色したり、セメントの成分であるカルシウムなどが流れ出し、タイル表面で白い粉吹き状態になる白華現象が生じ、再度、補修やタイル洗いが必要になることがある。
【０００３】
また、特開平８−１４４５０５号公報、特開平８−２４０００９号公報、特開２０００−７３５６１号公報等に見られるように、横部材とその両端から垂下した第１垂直部材および第２垂直部材とによりコンクリート手摺に跨らせることが可能に構成され、コンクリート手摺の外側に来る第１垂直部材の外面に、複数個の単管用クランプを付設し、反対側の第２垂直部材（コンクリート手摺の内側に来る垂直部材）にコンクリート手摺の内側面を押圧する締付け具を設けて構成された足場取付け金具も知られているが、この技術においては、次のような問題点があった。
▲１▼足場取付け金具をコンクリート手摺に跨らせて締付け固定し、単管用クランプを足場の建地用単管に緊結した状態において、建地用単管とコンクリート手摺との間に形成される隙間（第１垂直部材の太さ分の隙間）が狭く、大規模修繕時に行われる外装タイルの浮き・剥離調査、その後、行われるタイル洗浄作業等の作業の障害になる。
▲２▼足場とコンクリート手摺との隙間を広くとる方法として、複数の足場取付け金具をコンクリート手摺に間隔をおいて取り付け、それらの単管用クランプ間に水平に単管を掛け渡し、この単管に別の直交クランプ又は自在クランプを介して水平な単管を緊結し、この水平な単管で足場の控えをとることも考えられる。しかしながら、上記の従来例では、コンクリート手摺の内側に来る第２垂直部材にコンクリート手摺の内側面を押圧する締付け具を設けており、コンクリート手摺の内側からの操作によって、足場取付け金具をコンクリート手摺に締付け固定した際、第１垂直部材がコンクリート手摺の外側面に密着する構造であるため、控え用単管の内端（建物側の端部）の位置がコンクリート手摺によって制限されることになる。従って、控え用単管として、適当な長さの単管を使用しないと、控え用単管の外端（屋外側の端部）が足場内に突き出ることになり、一定の長さに切り揃えた控え用単管が必要である。
▲３▼コンクリート手摺の内側に来る第２垂直部材にコンクリート手摺の内側面を押圧する締付け具を設けており、足場取付け金具をコンクリート手摺に締付け固定した状態において、第２垂直部材、締付け具、横部材がコンクリート手摺から屋内側へ突出するので、通行上の安全確保が難しい。殊に、共用部（廊下、バルコニー、外装タイル等）のリフォームの場合は、居住者が生活しながら、施工を行うため、例えば、子供など背の低い人にとっては、顔ぐらいの高さの位置に金具が突出することになり、居住者の安全を確保することが重要な課題となって来る。
【０００４】
【発明が解決しようとする課題】
本発明は、上記の点に留意してなされたものであって、その目的とするところは、集合住宅の大規模修繕工事等にあたり、枠組み足場等の仮設足場をコンクリート手摺に繋いだ際、コンクリート手摺から内側への突出物を最小限にして、安全に工事が行え、しかも、仮設足場とコンクリート手摺との間に広い隙間を確保できて、コンクリート手摺用壁繋ぎ取付け金具が外装タイルの浮き・剥離調査、タイル洗浄作業等の作業の障害にならないようにしたコンクリート手摺用壁繋ぎ取付け金具を提供することにある。
【０００５】
【課題を解決するための手段】
上記の課題を解決するために、本発明が講じた技術的手段は、次のとおりである。即ち、請求項１に記載の発明によるコンクリート手摺用壁繋ぎ取付け金具は、壁繋ぎ取付け部を備え、コンクリート手摺に跨らせた状態で、コンクリート手摺の外側から締付け操作することにより、コンクリート手摺を挟持した状態に固定するように構成したことを特徴としている。
【０００６】
請求項２に記載の発明によるコンクリート手摺用壁繋ぎ取付け金具は、横部材とその両端から垂下した第１垂直部材および第２垂直部材とによりコンクリート手摺に跨らせることが可能に構成され、第１垂直部材に、コンクリート手摺の外側面を押圧する締付け具と壁繋ぎ取付け部とを併設したことを特徴としている。
【０００７】
上記の構成によれば、ホールインアンカーを用いることなく、枠組み足場等の仮設足場の倒壊や変形を防止でき、しかも、第１垂直部材に締付け具と壁繋ぎ取付け部とを併設し、コンクリート手摺に跨らせた状態で、締付け具をコンクリート手摺の外側から締付け操作して、コンクリート手摺の外側面を押圧するように構成されているので、コンクリート手摺から内側への突出量が少なくて済み、外壁リフォームの際、居住者の安全を確保できる。
【０００８】
また、枠組み足場等の仮設足場を、壁繋ぎを介して、コンクリート手摺に繋ぐため、仮設足場とコンクリート手摺との間に広い隙間を確保でき、コンクリート手摺用壁繋ぎ取付け金具が大規模修繕時に行われる外装タイルの浮き・剥離調査、タイル洗浄作業等の作業の障害になる虞がない。
【０００９】
尚、壁繋ぎ取付け部は、請求項３に記載のとおり、ネジ孔付き部材によって構成してもよく、請求項４に記載のとおり、単管用クランプによって構成してもよい。
【００１０】
請求項４の構成によれば、間隔をおいてコンクリート手摺に取り付けた複数のコンクリート手摺用壁繋ぎ取付け金具の単管用クランプ間に単管を水平に掛け渡し、この単管に別の直交クランプか自在クランプを介して水平な単管を緊結し、この水平な単管で仮設足場の控えを取ることになる。
【００１１】
この場合、コンクリート手摺の外側に来る第１垂直部材に締付け具を設けて、コンクリート手摺の外側から締付け操作するようにしたので、コンクリート手摺用壁繋ぎ取付け金具をコンクリート手摺に跨らせて締付け固定した状態において、第１垂直部材がコンクリート手摺に密着せず、第１垂直部材に設けた単管用クランプとコンクリート手摺の外側面との間に広い隙間が形成されることになる。従って、控え用単管として、長さが多少不揃いな単管を使用しても、各控え用単管の内端位置を前記隙間の範囲内で調整することができ、控え用単管の外端部が仮設足場内に突き出るといった不都合を回避できる。
【００１２】
請求項５に記載の発明によるコンクリート手摺用壁繋ぎ取付け金具は、締付け具が第１垂直部材を水平方向に貫通するネジ軸とその先端に付設された押圧部材とから構成され、押圧部材の先端とそれに対向する第２垂直部材の側面と横部材の下面に、夫々、養生用弾性体が付設されていることを特徴としている。ネジ軸は、請求項６に記載のとおり、第１垂直部材に設けられたネジ孔に螺合するように構成してもよく、請求項７に記載のとおり、当該ネジ軸に螺合するナットにより第１垂直部材に締付け固定されるように構成してもよい。
【００１３】
この構成によれば、押圧部材の先端とそれに対向する第２垂直部材の側面と横部材の下面に、夫々、養生用弾性体が付設されているので、コンクリート手摺の内外側面や上面が傷付く虞がなく、タイル張り仕様のコンクリート手摺であっても、外装タイルの損傷を防止できる。
【００１４】
尚、請求項１〜７に記載の発明において、第２垂直部材の外周（コンクリート手摺と対峙する面以外の外周面）に、換言すれば、コンクリート手摺用壁繋ぎ取付け金具のうちコンクリート手摺よりも屋内側に位置する部分に、対人用の養生弾性体を取り付けて実施してもよい。このようにすれば、子供など背の低い人が誤って上記壁繋ぎ取付け金具のコンクリート手摺よりも屋内側に位置する部分に頭などをぶつけても、怪我をすることを防止できる利点がある。
【００１５】
【発明の実施の形態】
図１〜図３は、本発明に係るコンクリート手摺用壁繋ぎ取付け金具Ａの一例を示し、壁繋ぎ取付け部１を備え、コンクリート手摺Ｂに跨らせた状態で、コンクリート手摺Ｂの外側から締付け操作することにより、コンクリート手摺Ｂを挟持した状態に固定するように構成した点に特徴がある。
【００１６】
即ち、前記コンクリート手摺用壁繋ぎ取付け金具Ａは、横部材２とその両端から垂下した第１垂直部材３および第２垂直部材４とによりコンクリート手摺Ｂに跨らせることが可能に構成された金具本体Ａ１の前記第１垂直部材３に、コンクリート手摺Ｂの外側面を押圧する締付け具５と壁繋ぎ取付け部１とが併設されたものである。横部材２、第１垂直部材３、第２垂直部材４としては角パイプ　が使用され、これら２，３，４を溶接等の手段により互いに直角に連結して、略コの字形を呈する金具本体Ａ１を構成している。
【００１７】
前記壁繋ぎ取付け部１は、第１垂直部材３に溶接されたネジ孔ａ付き部材ｂによって構成されており、一端にクランプ６ａを備えた壁繋ぎ６の他端側に形成されたネジ軸部分６ｂを前記ネジ孔ａにねじ込んで取り付けるように構成されている。壁繋ぎ取付け部１は、第１垂直部材３に１個だけ設けてもよいが、図示の例では、繋ぎ取付け部１を、上下方向に間隔を隔てて複数個（２個）設け、枠組み足場等の仮設足場Ｃに応じて上下の繋ぎ取付け部１を選択して使用することにより、壁繋ぎの高さを調整できるように構成されている。壁繋ぎ取付け部１（ネジ孔ａ付き部材ｂ）の数は３個以上としてもよいが、コンクリート手摺Ｂの内側から安全に操作するためには、腕を伸ばして操作できる範囲で、上下に２個（締付け具５の上下に１個ずつ）設けることが望ましい。
【００１８】
前記締付け具５は、第１垂直部材３を水平方向に貫通するネジ軸５ａとその先端に付設された押圧部材５ｂとから構成され、ネジ軸５ａは、第１垂直部材３に設けられたネジ孔に螺合されている。このネジ孔は第１垂直部材３に直接ネジ切り加工してもよいが、図示の例では、第１垂直部材３の内側の側面にナット７を溶接することによって設けられている。８はネジ軸５ａの回転操作部である。
【００１９】
押圧部材５ｂの先端とそれに対向する第２垂直部材４の側面と横部材２の下面には、夫々、ゴム、軟質合成樹脂等からなる養生用弾性体９が着脱交換可能な状態に付設されている。第２垂直部材４の側面と横部材２の下面に設けた養生用弾性体９は、リング状に形成されており、図３に示すように、外周に形成した環状溝を、第２垂直部材４や横部材２に形成した孔の縁部に弾性嵌合して取り付けるように構成されている。また、横部材２の下面の全域に細長い形状の養生用弾性体を付設してもよく、長円形の養生用弾性体を付設してもよいが、図示の例では、部材の共通化によるコストダウンと、コンクリート手摺Ｂの一般的な壁厚、頂面の勾配等を考慮して、外側に偏った位置に、リング状に形成された２個の養生用弾性体９を横部材２の長手方向に並べて取り付けてある。
【００２０】
図３に仮想線で示す９ａは、必要に応じて、第２垂直部材４の外周（コンクリート手摺Ｂと対峙する面以外の外周面）に取り付けられる対人用の養生弾性体である。対人用の養生弾性体９ａとしては、側面にスリットを形成した発泡樹脂や軟質ゴムの筒体（円筒体であるが、角筒体であってもよい）が使用されている。この対人用の養生弾性体９ａは、その弾性復元力に抗してスリットを広げ、第２垂直部材４の外周に屋内側から嵌め込んで取り付けるようになっており、取り付けた状態において、筒体の上下両端が、第２垂直部材４の上下に若干突出する長さに設定されている。
【００２１】
この対人用の養生弾性体９ａを装着して実施すれば、コンクリート手摺用壁繋ぎ取付け金具Ａのうちコンクリート手摺Ｂよりも屋内側に位置する部分が対人用の養生弾性体９ａで被覆されるので、子供など背の低い人が誤って頭などをぶつけても怪我をする虞がない。
【００２２】
上記の構成によれば、第１垂直部材３に締付け具５と壁繋ぎ取付け部１とを併設し、コンクリート手摺Ｂに跨らせた状態で、締付け具５をコンクリート手摺Ｂの外側から締付け操作して、コンクリート手摺Ｂの外側面を押圧するように構成されているので、コンクリート手摺Ｂの内側面（建物側の面）には、第２垂直部材４がに養生用弾性体９を介して密着するだけであり、コンクリート手摺Ｂから内側への突出量が少なくて済み、外壁リフォームの際、居住者の安全を確保できる。
【００２３】
枠組み足場等の仮設足場Ｃを、壁繋ぎ６を介して、コンクリート手摺Ｂに繋ぐため、仮設足場Ｃとコンクリート手摺Ｂとの間に広い隙間を確保でき、コンクリート手摺用壁繋ぎ取付け金具Ａが大規模修繕時に行われる外装タイルの浮き・剥離調査、タイル洗浄作業等の作業の障害になる虞がない。
【００２４】
また、コンクリート手摺Ｂに対するコンクリート手摺用壁繋ぎ取付け金具Ａの取付け、壁繋ぎ６の取付け、足場解体時の撤去に至るまで、ラチェットレンチ１本で施工が可能であり、ホールインアンカーを用いないので、ホールインアンカー打設用のやその電源が不要で、ハンマードリルを持って足場上で移動するといった危険作業もなくなる。
【００２５】
殊に、押圧部材５ｂの先端とそれに対向する第２垂直部材４の側面と横部材２の下面に、夫々、ゴム、軟質合成樹脂等からなる養生用弾性体９を取り付けてあるので、コンクリート手摺Ｂの内外側面や上面が傷付く虞がなく、タイル張り仕様のコンクリート手摺であっても、外装タイルの損傷を防止できる。また、養生用弾性体９が摩耗したり、損傷しても、それだけを新品と交換できるため、コンクリート手摺用壁繋ぎ取付け金具Ａを何回も繰返して転用でき、経済的である。
【００２６】
図４と図５は、各々、他の実施の形態を示す。図４に示した実施の形態は、第１垂直部材３の外側面にナット７を溶接した点に特徴があり、図５に示した実施の形態は、ネジ軸５ａに螺合する一対のナット７ａ，７ｂおよび座金１０ａ，１０ｂを設け、これらのナット７ａ，７ｂでネジ軸５ａを第１垂直部材３の両側面に締付け固定するように構成した点に特徴がある。その他の構成、作用は図１〜図３の例と同じであるため、同一構成部材に同一符号を付し、説明を省略する。
【００２７】
図６、図７は、他の実施の形態を示し、壁繋ぎ取付け部１を単管用クランプ１１によって構成した点に特徴がある。単管用クランプ１１は、第１垂直部材３に対して固定状態に設けてもよく、水平軸芯Ｐ周りで回動自在に設けてもよい。また、図示の例では、単管用クランプ１１を第１垂直部材３の外側面（屋外側の面）に設けているが、第１垂直部材３の横側面に設けて実施してもよい。その他の構成は、図１〜図５と同じであるため、同一構成部材に同一符号を付し、説明を省略する。
【００２８】
この構成によれば、図７に示すように、間隔をおいてコンクリート手摺Ｂに取り付けた複数のコンクリート手摺用壁繋ぎ取付け金具Ａの単管用クランプ１１間に単管１２を水平に掛け渡し、この単管１２に別の直交クランプ（又は自在クランプ）１３を介して水平な単管１４を緊結し、この水平な単管１４で仮設足場Ｃの控えを取ることになる。換言すれば、単管１２，１４によって壁繋ぎ６が構成されることになる。
【００２９】
この場合、コンクリート手摺Ｂの外側に来る第１垂直部材３に締付け具５を設けて、コンクリート手摺Ｂの外側から締付け操作するようにしたので、コンクリート手摺用壁繋ぎ取付け金具Ａをコンクリート手摺Ｂに跨らせて締付け固定した状態において、第１垂直部材３がコンクリート手摺Ｂに密着せず、第１垂直部材３に設けた単管用クランプ１１とコンクリート手摺Ｂの外側面との間に広い隙間Ｓが形成されることになる。
【００３０】
従って、控え用単管１４として、長さが多少不揃いな単管を使用しても、各控え用単管１４の内端位置を前記隙間Ｓの範囲内で調整することができ、控え用単管１４の外端部が仮設足場Ｃ内に突き出るといった不都合を回避できる。
【００３１】
図８は、他の実施の形態を示し、単管用クランプ１１によって構成した壁繋ぎ取付け部１を、上下方向に間隔を隔てて複数個設け、枠組み足場等の仮設足場Ｃに応じて上下の繋ぎ取付け部１を選択して使用することにより、壁繋ぎの高さを調整できるように構成した点に特徴がある。壁繋ぎ取付け部１（単管用クランプ１１）の数は３個以上としてもよいが、コンクリート手摺の内側から安全に操作するためには、腕を伸ばして操作できる範囲で、上下に２個（締付け具５の上下に１個ずつ）設けることが望ましい。その他の構成、作用は、図６、図７の例と同じであるため、同一構成部材に同一符号を付し、説明を省略する。
【００３２】
【発明の効果】
本発明は、上述した構成よりなり、集合住宅の大規模修繕工事等にあたり、枠組み足場等の仮設足場をコンクリート手摺に繋いだ際、コンクリート手摺から内側への大きな突出物をなくして、安全に工事が行え、しかも、仮設足場とコンクリート手摺との間に広い隙間を確保できて、コンクリート手摺用壁繋ぎ取付け金具が外装タイルの浮き・剥離調査、タイル洗浄作業等の作業の障害にならない等の効果がある。
【図面の簡単な説明】
【図１】本発明に係るコンクリート手摺用壁繋ぎ取付け金具の使用状態を示す側面図である。
【図２】コンクリート手摺用壁繋ぎ取付け金具の斜視図である。
【図３】コンクリート手摺用壁繋ぎ取付け金具の縦断側面図である。
【図４】コンクリート手摺用壁繋ぎ取付け金具の他の例を示す側面図である。
【図５】コンクリート手摺用壁繋ぎ取付け金具の他の例を示す一部縦断側面図である。
【図６】コンクリート手摺用壁繋ぎ取付け金具の他の例を示す側面図である。
【図７】図６に示したコンクリート手摺用壁繋ぎ取付け金具の使用状態を示す概略側面図である。
【図８】コンクリート手摺用壁繋ぎ取付け金具の他の例を示す側面図である。
【符号の説明】
Ａ…コンクリート手摺用壁繋ぎ取付け金具、Ｂ…コンクリート手摺、Ｃ…仮設足場、１…壁繋ぎ取付け部、２…横部材、３…第１垂直部材、４…第２垂直部材、５…締付け具。
【図１】
2004092056.tif 000003
【図２】
2004092056.tif 000004
【図３】
2004092056.tif 000005
【図４】
2004092056.tif 000006
【図５】
2004092056.tif 000007
【図６】
2004092056.tif 000008
【図７】
2004092056.tif 000009
【図８】
2004092056.tif 000010